(57)【特許請求の範囲】
【請求項１】
情報配信ネットワークを実施するためのシステムであって、
情報配信ネットワークを通じて情報配信サービスを提供するように構成された情報サービスと、
デバイスユーザが利用する、前記情報サービスと通信して、前記情報配信サービスを受信するユーザデバイスと、
メタデータを分析して、前記デバイスユーザの中から少なくとも１つの消費者グループを定めるグループ集約器と、
選択された情報を前記消費者グループに提供する広告権利を取得するための入札手続に参加するために広告主が通信する入札マネージャと、
を含み、
前記グループ集約器は、前記メタデータからのグループ分けファクタを分析して、前記消費者グループを作成し、
前記グループ集約器は、ターゲット化ファクタを分析することによって前記消費者グループに対するターゲット広告主を識別し、
前記グループ集約器は、前記消費者グループのグループ特徴を前記広告主の広告主特徴と比較して、前記ターゲット広告主を具体的に識別し、
前記グループ集約器は、広告を前記消費者グループに送信するための入札を行う入札機会を前記ターゲット広告主に提供することを特徴とするシステム。
【請求項２】
前記情報配信ネットワークにおけるネットワークエンティティと通信し、
前記メタデータを収集して、前記選択された情報を前記情報サービスから前記消費者グループに提供するトランスポート構造を更に含むことを特徴とする請求項１に記載のシステム。
【請求項３】
前記グループ集約器及び前記入札マネージャは、前記情報配信ネットワークからの入札サーバにおいて実施されることを特徴とする請求項１に記載のシステム。
【請求項４】
前記グループ集約器は、前記メタデータを分析して、前記デバイスユーザ及び前記ユーザデバイスの対応するものからのグループパターンを認識することを特徴とする請求項１に記載のシステム。
【請求項５】
前記グループ集約器は、前記デバイスユーザのそれぞれのものに対する前記グループ分けファクタの計算加重和によって前記消費者グループをポピュレートすることを特徴とする請求項１に記載のシステム。
【請求項６】
前記グループ分けファクタは、ユーザメタデータ、デバイスメタデータ、ユーザ選択、ユーザ行動パターン、地理的ロケーション情報、インターネット閲覧パターン、及びユーザ購入行動を含むことを特徴とする請求項１に記載のシステム。
【請求項７】
前記ターゲット化ファクタは、広告目標、製品特徴、製品価格設定情報、及び広告特徴を含むことを特徴とする請求項１に記載のシステム。
【請求項８】
前記入札マネージャは、所定の入札規則の観点から前記ターゲット広告主からの入札情報を分析して、１人又はそれよりも多くの入札勝利者を決めることを特徴とする請求項１に記載のシステム。
【請求項９】
前記入札マネージャは、前記消費者グループへの送信のための前記広告を提供する１人又はそれよりも多くの入札勝利者に通知することを特徴とする請求項８に記載のシステム。
【請求項１０】
前記消費者グループにおける前記デバイスユーザは、該消費者グループに提供される一括購入機会に参加するか否かを個々に判断することを特徴とする請求項９に記載のシステム。
【請求項１１】
前記消費者グループは、該消費者グループの総消費者カウントが増加すると、前記広告主に対する値を増加させることを特徴とする請求項１に記載のシステム。
【請求項１２】
前記ユーザメタデータは、前記デバイスユーザの個人名、性別、年齢、宗教、趣味、関心、職業、配偶者の有無、住所、収入、インターネット閲覧履歴、及びクレジットカード取引記録を含むことを特徴とする請求項６に記載のシステム。
【請求項１３】
ユーザデバイス及びユーザデバイスのデバイスユーザに関連するメタデータを管理するデータモジュールと、
前記メタデータを情報サービスに提供して、ユーザデバイスを含む少なくとも１つの消費者グループを識別するトランスポート構造と、
前記メタデータを利用して、１つ又はそれよりも多くのターゲット広告を選択する前記情報サービスに前記トランスポート構造を送信する通信モジュールと、
を含み、
前記消費者グループは、前記メタデータからのグループ分けファクタを分析するグループ集約器によって識別され、
前記グループ集約器は、ターゲット化ファクタを分析することによって前記消費者グループに対するターゲット広告を識別し、
前記ターゲット広告主からの入札情報が、１人又はそれよりも多くの入札勝利者を決めるために所定の入札規則の観点から入札マネージャによって分析され、
前記入札マネージャは、ユーザデバイスへの送信のための前記ターゲット広告を提供する前記１人又はそれよりも多くの入札勝利者に通知することを特徴とするユーザデバイス。
【請求項１４】
前記デバイスユーザは、前記消費者グループに提供される一括購入機会に参加するか否かを個々に判断し、該デバイスユーザは、前記通信モジュールを利用して対応する購入判断を前記情報サービスに通知することを特徴とする請求項１３に記載のユーザデバイス。
【請求項１５】
前記通信モジュールは、前記メタデータを利用することによって前記消費者グループをターゲットにした前記１つ又はそれよりも多くのターゲット広告を前記情報サービスから受信することを特徴とする請求項１３に記載のユーザデバイス。
【請求項１６】
前記グループ分けファクタは、ユーザメタデータ、デバイスメタデータ、ユーザ選択、ユーザ行動パターン、地理的ロケーション情報、インターネット閲覧パターン、及びユーザ購入行動を含むことを特徴とする請求項１３に記載のユーザデバイス。
【発明の詳細な説明】
【技術分野】
【０００１】
本発明は、一般的に、電子情報を配信するための技術に関し、より具体的には、電子ネットワークにおいて消費者集約手続をサポートするためのシステム及び方法に関する。
【背景技術】
【０００２】
電子情報を配信するための効率的な方法を実施することは、最新電子システムの設計者及び製造業者にとって重大な関心事である。しかし、電子デバイスによって利用される電子情報を効率的に配信することは、システム設計者にとって困難である問題を生じる場合がある。例えば、増大したシステム機能及び性能に対する急増する要求は、より大きなシステム処理機能を必要とし、付加的なソフトウエアリソースを要求する場合がある。処理又はソフトウエア要件における増大は、増加する生産コスト及び作動効率の悪さのために、対応する経済的悪影響を結果として生じる場合がある。
【０００３】
更に、様々な高度な配信作業を実行するための拡張システム機能は、システムユーザに付加的な利益を提供することができるが、様々なシステム構成要素の制御及び管理に多大な要求を強いる場合がある。例えば、電子広告情報を効率的に管理する電子システムは、関わっている大量のデジタルデータ及びその複雑さのために効率的な実施から恩典を受けるであろう。
【発明の概要】
【発明が解決しようとする課題】
【０００４】
システムリソースに対する要求の増大及びデータ量の増大のために、電子情報を電子デバイスに配信するための新しい技術を開発することは、関連の電子技術にとって関心事であることは明らかである。従って、上述の理由の全てに対して、電子情報を配信するための効率的な技術の開発は、最新電子システムの設計者、製造業者、及びユーザに対して依然として重大な関心事である。
【課題を解決するための手段】
【０００５】
本発明は、電子ネットワークにおける消費者集約手続をサポートするためのシステム及び方法を開示する。一実施形態においては、配信システムは、対応するユーザデバイスのデバイスユーザによる利用のための適切な様々なタイプの情報を自動的に提供する。例えば、配信される情報は、以下に限定されるものではないが、特定のデバイスユーザをターゲットとした商業広告情報を含むことができる。要求される広告情報に能動的にアクセスするように消費者に要求する「プル」モデルをサポートする従来の広告技術とは異なり、上述の配信システムは、デバイスユーザ及び様々な広告主の両方を定める対応するメタデータファイルに基づいて、ターゲットデバイスユーザに適切な広告情報を自動的に選択して送信する「プッシュ」モデルをサポートする。
【０００６】
一実施形態においては、配信システムは、配信システムにおける適切なエンティティへ及びそこからの様々なタイプの関連情報を自動的に転送する１つ又はそれよりも多くのトランスポート構造をサポートし、かつ利用することができる。例えば、このトランスポート構造は、情報サービスから様々なデバイスユーザ、ユーザデバイス、電子ネットワーク、及びそれぞれの広告主に関するメタデータを収集して転送するために利用することができる。更に、トランスポート構造は、ターゲットにされた広告及び／又は電子コンテンツへのリンクを適切なユーザデバイスに提供するために利用することができる。
【０００７】
ある実施形態では、情報サービスは、有利な態様においては、あるデバイスユーザ及びその対応するユーザデバイスが１つ又はそれよりも多くの消費者グループに集約される消費者集約手続をサポートする入札サーバを提供することができる。広告主又は他の適切なエンティティは、次に、入札するか又はそうでなければ指し値を戻し、関連の広告及び他の情報をより正確にかつ効率的に向けるために消費者グループへの広告アクセス権を取得することができる。
【０００８】
ある実施形態においては、メタデータデータベース又は他のデータソースからの情報を分析して、グループ集約器は、１つ又はそれよりも多くの消費者グループを識別することができる。ある実施形態においては、グループ集約器は、デバイスユーザ及びその対応するユーザデバイスに対するグループパターンを認識するために、様々なタイプのメタデータを連続的に分析することができる。グループ集約器は、様々な所定のグループ分けファクタの連続集計を維持して、対応する消費者グループを作成することができる。ある実施形態においては、消費者グループは、様々なデバイスユーザに対するグループ分けファクタの加重和を計算することによってポピュレート(populate)される。グループ分けファクタは、以下に限定されるものではないが、ユーザメタデータ、デバイスメタデータ、ユーザ選択、ユーザ行動パターン、地理ロケーション情報、インターネット閲覧パターン、及びユーザ購入行動を含むことができる。
【０００９】
グループ集約器はまた、いずれかの効率的な技術を使用することにより、適切なターゲット広告主又は広告を識別することもできる。例えば、グループ集約器は、ターゲット広告主を識別するために様々な所定のターゲット化ファクタを分析することができる。ターゲット化ファクタは、以下に限定されるものではないが、広告目標、製品特徴、製品価格設定情報、及び広告特徴を含むことができる。次に、グループ集約器は、消費者グループの特徴をターゲット広告主／広告と比較し、かつそれぞれの消費者グループに広告を送信するために入札する機会を適切なターゲット広告主に提供することができる。
【００１０】
ある実施形態においては、入札マネージャは、広告主又は他の適切なエンティティが入札するか又はそうでなければ指し値を戻して１つ又はそれよりも多くの消費者グループへのアクセスを取得することができる入札手続を調整することができる。入札マネージャは、１人又はそれよりも多くの入札勝利者を決めるために、特定の所定の入札規則の観点から入札情報を分析することができる。入札勝利者は、次に、通知され、情報サービスを通じた消費者グループへの送信のための広告情報の提供を許可される。様々なデバイスユーザは、消費者グループに提供される一括購入機会に参加するか否かを個々に判断することができる。
【００１１】
本発明は、従って、有利な態様においては、消費者が情報及び／又は購入機会を求めている商品又はサービスに関する製品広告を見たいと要求した消費者のターゲット化したプールを作成することができる。本発明は、これらの消費者を集約し、適切なメタデータの使用を通じた広告主への広告配置及び対話式ダイアログ接続を提供する。次に、広告主は、収集されたメタデータの集合、分析、及び集約に基づいて、消費者グループにその広告セットを配信する権利に入札する。従って、少なくとも以上の理由のために、本発明は、電子ネットワークにおける消費者集約手続をサポートするための改善したシステム及び方法を提供する。
【図面の簡単な説明】
【００１２】
【図１Ａ】本発明の一実施形態による配信システムを示すブロック図である。
【図１Ｂ】本発明の一実施形態による消費者グループを示すブロック図である。
【図２Ａ】本発明によるトランスポート構造の一実施形態を示すブロック図である。
【図２Ｂ】本発明によるメディアファイルの一実施形態を示すブロック図である。
【図３】本発明による図１Ａからのユーザデバイスの一実施形態を示すブロック図である。
【図４】本発明による図３からのユーザメモリの一実施形態を示すブロック図である。
【図５】本発明による図１Ａからの情報サービスの一実施形態を示すブロック図である。
【図６Ａ】本発明による図５からのトランスポートサーバの一実施形態を示すブロック図である。
【図６Ｂ】本発明による図６Ａからのトランスポートサーバメモリの一実施形態を示すブロック図である。
【図７】本発明による図５からの広告サーバの一実施形態を示すブロック図である。
【図８Ａ】本発明による図５からの入札サーバの一実施形態を示すブロック図である。
【図８Ｂ】本発明による図８Ａからの入札サーバメモリの一実施形態を示すブロック図である。
【発明を実施するための形態】
【００１３】
本発明は、電子データ配信技術の改善に関する。以下の説明は、本発明を当業者が使用することができるように示されており、特許出願及びその要件の関連において提供される。開示する実施形態への様々な修正は、当業者には明らかであり、本明細書における一般原理は、他の実施形態に適用することができる。従って、本発明は、図示の実施形態に制限されるものではないが、本明細書に説明する原理及び特徴に矛盾のない最大の範囲に従うものとする。
【００１４】
本発明は、情報配信ネットワークを実施するためのシステム及び方法を含み、更に、情報配信ネットワーク上で情報配信サービスを提供するように構成されている情報サービスを含む。ユーザデバイスは、情報配信サービスを受信するための情報サービスと通信するためにデバイスユーザによって利用される。１つ又はそれよりも多くのトランスポート構造は、情報配信ネットワークにおける様々なエンティティから適切なメタデータを収集するために実施されている。グループ集約器は、収集されたメタデータからの所定のグループ分けファクタを分析して、デバイスユーザの中から少なくとも１つの消費者グループを作成する。様々な広告主は、入札マネージャと通信して、選択された情報を消費者グループに提供する広告権利を取得する入札手続きに参加することができる。
【００１５】
ここで図１Ａを参照すると、本発明の一実施形態による配信システム１１０のブロック図が示されている。図１Ａの実施形態では、配信システム１１０は、以下に限定されるものではないが、１つ又はそれよりも多くのユーザデバイス１２２、情報サービス１１８、及びネットワーク１２６を含むことができる。代替の実施形態では、配信システム１１０は、図１Ａの実施形態に関して説明した構成要素及び構成のある一定のものに加えて又はそれらの代わりの構成要素及び構成を利用することによって実施することができる。
【００１６】
本発明によると、配信システム１１０は、対応するユーザデバイス１２２のデバイスユーザによる利用ための適切な様々なタイプの情報を自動的に提供する配信手順を有利にサポートする。例えば、配信される情報は、以下に限定されるものではないが、ユーザデバイス１２２の適切なデバイスユーザを具体的にターゲットとした商業広告情報を含むことができる。要求される広告情報に能動的にアクセスするように消費者に要求する「プル」モデルをサポートする従来の広告技術とは異なり、図１Ａの配信システム１１０は、デバイスユーザ及び様々な広告主を定める対応するメタデータに基づいてターゲットデバイスユーザに適切な広告情報を自動的に選択して送信する「プッシュ」モデルをサポートする。
【００１７】
図１Ａの実施形態では、配信システム１１０は、金銭的又は他の補償と引き換えに広告主及びデバイスユーザに配信サービスを提供する配信制御エンティティによって実施及びサポートされる。配信制御エンティティは、情報サービス１１８のような配信システム１１０の主要な要素を維持及び制御する営利事業とすることができる。
本発明によると、配信システム１１０は、配信システム１１０における適切なエンティティに及び適切なエンティティから様々なタイプの関連情報を自動的にトランスポートする１つ又はそれよりも多くのトランスポート構造（図２Ａを参照）を有利にサポート及び利用することができる。例えば、トランスポート構造は、様々なデバイスユーザ、ユーザデバイス１２２、ネットワーク１２６、及びそれぞれの広告主に関するメタデータを情報サービス１１８から収集及び転送するために利用することができる。更に、トランスポート構造は、適切なユーザデバイス１２２に対するターゲット広告及び／又は電子コンテンツへのリンクをトランスポート又は提供するために利用することができる。
【００１８】
本発明によると、情報サービス１１８は、ある一定のデバイスユーザ及びその対応するユーザデバイス１２２がターゲット消費者グループに集約される消費者集約手続をサポートする入札サーバ（図８Ａ−８Ｂを参照）を有利に提供することができる。広告主又は他の適切なエンティティは、次に、関連の広告及び他の情報をより正確にかつ効率的にターゲットにするための消費者グループに対する広告権利を取得するために、入札するか又はそうでなければ指し値を戻すことができる。従って、本発明は、電子ネットワークにおける消費者集約手続をサポートするための改善したシステム及び方法を提供する。図１Ａの配信システム１１０におけるトランスポート構造の実施及び利用に関する更なる詳細は、図２Ａ−８Ｂに関して以下に説明する。
【００１９】
ここで図１Ｂを参照すると、本発明の一実施形態による消費者グループ１５０のブロック図が示されている。図１Ｂの実施形態では、消費者グループ１５０は、以下に限定されるものではないが、それぞれのユーザデバイス１２２（ａ）から１２２（ｍ）によって表される個々のデバイスユーザを含むことができる。図１Ｂでは、ユーザデバイス１２２は、図１Ａからの対応する番号が付けられているユーザデバイス１２２（ａ）から１２２（ｍ）と同じか又は類似とすることができる。図１Ｂの実施形態では、様々なユーザデバイス１２２の各々は、いずれかの効率的な通信技術を使用することによって消費者グループ１５０における他のユーザデバイス１２２のいずれか又は全てとの双方向通信を実行することができる。
【００２０】
図１Ｂの消費者グループ１５０は、例示的な目的のために示されており、代替の実施形態では、消費者グループ１５０は、図１Ｂの実施形態に関して説明した構成要素及び構成のある一定のものに加えて又はこれらの代わりの構成要素及び構成を利用することによって達成することができる。例えば、ユーザデバイス１２２のいずれかの要求される数又はタイプも、消費者グループ１５０を形成するために対応するデバイスユーザによって利用することができる。図１Ｂの実施形態では、消費者グループ１５０は、いずれかの効率的な技術を利用することによって定義又は作成することができる。
【００２１】
本発明は、従って、消費者が情報及び／又は購入機会を求めている商品又はサービスに関する製品広告を見たいと要求した消費者のターゲットプールを作成することができる。本発明は、これらの消費者を集約し、適切なメタデータの使用を通じて広告配置及び広告主への対話式ダイアログ接続を提供する。広告主は、収集されたメタデータの集合、分析、及び集約に基づいて、消費者グループにその広告セットを配信することに対して入札する。これは、より多くのアクセス料を集約器に支払う段階を含むか、又は消費者により適切な経済的又は価値条件又はこれらの組合せを提供することができる。
【００２２】
１つの例は、住宅ローン会社である。集約器は、不動産業者、買い手、及び売り手に関するメタデータをプールし、住宅ローンを探している買い手に対して集約器が保持している広告スペースに入札する住宅ローン会社に対する販売の促進を助ける。集約器によって提供される情報は、以下に限定されるものではないが、住宅ローン、地理情報、クレジット情報、及び要求される不動産価格をセキュアにすることへの関心のレベルを格付けする消費者プロフィール及び行動傾向を含むことができる。パッケージ不動産広告は、集約された消費者メタデータ及び見込みエージェント及び／又は売り手に基づいて住宅ローン会社によって提供されるポートフォリオで消費者に送られる。
【００２３】
本発明によると、デバイスユーザは、従って、一括購入を利用するために購入ブロックを作成するためのある一定のタイプの消費者ユニオン機会を有する。これは、情報サービス１１８（図１）又はユーザ／購入者に対する購入ブロック機会を作成することができる広告主サービス又は商品配信パターンに着目する他の適切なエンティティによって実行されるか、又は逆に、広告主が、関心を示す加入者に対してメタデータを検索することによって買い手グループを試行及び形成するために情報サービス１１８に一括購入機会を提供することができる。両方のケースにおける情報サービス１１８は、利用されるユーザ購入のこれらのタイプ又は広告主提供の一括販売機会を形成するための集中化集約器である。
【００２４】
要約すると、本発明は、ユーザ要求のモニタリング又は広告主の要求での買い手のプールされたグループの形成のいずれかを通じて買い手購入ブロック（消費者グループ１５０）を形成するために情報サービス１１８の機能をサポートする。図１Ａの配信システム１１０における消費者グループ１５０の実施及び利用に関する更なる詳細は、図２Ａ−８Ｂに関して以下に説明する。
【００２５】
ここで図２Ａを参照すると、本発明によるトランスポート構造２１０の一実施形態のブロック図が示されている。図２Ａの実施形態は、例示的な目的のために示されており、代替の実施形態では、トランスポート構造２１０は、図２Ａの実施形態に関して説明した構成要素及び構成のある一定のものに加えて又はこれらの代わりの構成要素及び構成を利用することによって実施することができる。
【００２６】
図２Ａの実施形態では、ユーザメタデータ２２２は、ユーザデバイス１２２（図１Ａ）の１つ又はそれよりも多くのデバイスユーザに関する情報を含むことができる。ある実施形態においては、ユーザメタデータ２２２は、１つ又はそれよりも多くの適切なユーザプロフィール４３０（図４を参照）から選択的にコンパイルすることができる。同様に、デバイスメタデータ２２６は、１つ又はそれよりも多くのユーザデバイス１２２に関する情報を含むことができる。ある実施形態においては、デバイスメタデータ２２６は、１つ又はそれよりも多くの適切なデバイスプロフィール４３４（図４を参照）から選択的にコンパイルすることができる。図２Ａの実施形態では、ネットワークメタデータ２３０は、電子ネットワーク１２６（図１Ａ）の様々な属性又はエンティティに関する情報を含むことができる。
【００２７】
図２Ａの実施形態では、広告主メタデータ２３４は、配信システム１１０に関連付けられる１つ又はそれよりも多くの広告又は広告主に関する情報を含むことができる。ある実施形態においては、広告主は、広告ソース５４０（図５）に関連付けることができる。同様に、コンテンツレンダラーメタデータ２３８は、配信システム１１０に関連付けられる１つ又はそれよりも多くのコンテンツレンダラー(renderer)に関する情報を含むことができる。ある実施形態においては、コンテンツレンダラーは、コンテンツソース５４２（図５）に関連付けることができる。
【００２８】
図２Ａの実施形態では、消費者グループメタデータ２３８は、配信システム１１０における１つ又はそれよりも多くの消費者グループ１５０（図１Ｂ）の識別、母集団、又は利用に関する情報のいずれかの適切なタイプを含むことができる。図２Ａの実施形態では、雑多な情報２４２は、いずれかの付加的なデータ又は他の適切な情報を含むことができる。メディアリンク２４６は、図２Ｂに関して以下に説明するように、１つ又はそれよりも多くのメディアファイルにアクセスするためのロケーション又は接続手段を指示するための適切な情報を含むことができる。
【００２９】
トランスポート構造２１０におけるフィードバックメタデータ２４８は、情報サービス１１８又は他の適切なエンティティへの送信のためのターゲットデバイスユーザのユーザデバイス１２２からのいずれかの関連の情報も反映するように更新することができる。図２Ａの実施形態では、トランスポート構造２１０に記憶された情報は、トランスポート構造２１０に対するインテリジェント機能及び制御を提供するためのソフトウエア命令のいずれかの適切なタイプを含むことができる。ある実施形態においては、これらのソフトウエア命令は、ユーザデバイス１２２のプロセッサ又は他の適切な電子デバイスのような外部エンティティと対話することができ、又はそれによって実行することができる。
【００３０】
配信システム１１０における様々なエンティティは、いずれかの適切な方法でトランスポート構造２１０の情報を利用することができる。例えば、消費者集約手続は、ユーザメタデータ２２２、デバイスメタデータ２２６、及び広告主メタデータ２３４の適合要素を適合させることによって実行することができ、それによって消費者グループ１５０におけるターゲットデバイスユーザへの自動送信のための関連の広告情報の適切なタイプを提供するための１つ又はそれよりも多くの消費者グループ１５０を識別する。
【００３１】
トランスポート構造２１０は、いずれかの適切なソースからいずれかの効率的な方法で発生させることができる。例えば、トランスポート構造２１０は、ユーザデバイス１２２（図１Ａ）に組み込むことができ、必要に応じてデバイスユーザによって起動することができる。代替として、ネットワーク１２６における様々なエンティティ又は情報サービス１１８は、トランスポート構造２１０を作成又は起動することができる。例えば、トランスポートサーバ（図６Ａを参照）は、トランスポート構造２１０の発生及び作業を管理することができる。図２Ａのトランスポート構造２１０の実施及び利用に関する更なる詳細は、図２Ｂ−８Ｂに関して以下に説明する。
【００３２】
ここで図２Ｂを参照すると、本発明によるメディアファイル２５０の一実施形態のブロック図が示されている。図２Ｂの実施形態は、例示的な目的のために示されており、代替の実施形態では、メディアファイル２５０は、図２Ｂの実施形態に関して説明した構成要素及び構成のある一定のものに加えて又はこれらの代わりの構成要素及び構成を利用することによって実施することができる。例えば、図２Ｂのメディアファイル２５０は、図２Ａのメディアリンク２４６を利用することによってアクセス可能な別々のエンティティとして示されている。しかし、代替の実施形態では、メディアファイル２５０は、図２Ａのトランスポート構造２１０の一体部分として実施することができる。
【００３３】
図２Ｂの実施形態では、広告（ａｄｓ）２５４は、消費者グループ１５０（図１Ｂ）におけるユーザデバイス１２２の適切なユーザデバイスに送信するように選択されているターゲット広告情報のいずれかの適切なタイプを含むことができる。同様に、コンテンツ項目２５８は、消費者グループ１５０におけるユーザデバイス１２２の適切なユーザデバイスに送信するように選択されている電子コンテンツ情報のいずれかの適切なタイプを含むことができる。例えば、コンテンツ２５８は、以下に限定されるものではないが、ビデオデータ、オーディオデータ、グラフィック、テキスト、ムービー、音楽レコーディング、及びコンピュータプログラムを含むことができる。ターゲット消費者グループ１５０に適切なメディアファイル２５０を提供するための更に別の情報は、図３−８Ｂに関して以下に更に説明する。
【００３４】
ここで図３を参照すると、本発明による図１Ａのユーザデバイス１２２の一実施形態のブロック図が示されている。図３の実施形態では、ユーザデバイス１２２は、以下に限定されるものではないが、中央演算処理装置（ＣＰＵ）３１４、メモリ３１８、ディスプレイ３３８、及び１つ又はそれよりも多くの入力／出力インタフェース（Ｉ／Ｏインタフェース）３４０を含む。図３の実施形態は、例示的な目的のために示されており、代替の実施形態では、ユーザデバイス１２２は、図３の実施形態に関して説明した構成要素及び構成のある一定のものに加えて又はこれらの代わりの構成要素及び構成を使用して実施することができる。更に、ユーザデバイス１２２は、以下に限定されるものではないが、デスクトップコンピュータ、携帯情報端末、携帯電話、セットトップボックス、又はラップトップコンピュータを含むいずれかのタイプの携帯式又は非携帯式電子デバイスとしても実施することができる。
【００３５】
図３の実施形態では、ＣＰＵ３１４は、ソフトウエア命令を実行することが好ましいいずれかの適切な適合マイクロプロセッサデバイスを含むように実施することができ、それによってユーザデバイス１２２の作業を制御及び管理する。特に、ＣＰＵ３１４は、情報サービス１１８（図１Ａ）から、ユーザデバイス１２２、第三者デバイス、及び様々な適切なエンティティ間の関連の様々なタイプのメタデータを収集、交換、及び利用するために、図４のデバイスメモリ３１８に記憶されているソフトウエア命令を実行することができる。更に、ＣＰＵ３１４は、１つ又はそれよりも多くのトランスポート構造２１０と通信することができる。
【００３６】
１つの例では、デバイスユーザは、食料品店又はガソリンステーションのような商業販売ロケーションでユーザデバイス１２２（携帯電話など）を利用することができる。携帯電話は、適切なハンドシェーキング技術を使用してトランスポート構造２１０を前後に交換することを含むいずれかの効率的な技術を利用することにより、関連の情報及び様々なタイプのメタデータを自動的に収集して、１つ又はそれよりも多くの他の第三者デバイス（売買業者のスマート電子キャッシュレジスタデバイスなど）と交換することができる。
【００３７】
携帯電話は、次に、いずれかの効率的な送信技術を利用することにより、メタデータを情報サービス１１８（図１Ａ）に送信することができる。例えば、メタデータは、直接、又はトランスポート構造２１０に取り付けられているかのいずれかの情報サービス１１８に送信される。ある実施形態においては、携帯電話は、メタデータ／トランスポート構造２１０は、メタデータ／トランスポート構造２１０を情報サービス１１８に送信するネットワークポータルデバイス（コンピュータなど）に転送することができる。本発明によると、情報サービス１１８は、ターゲット広告を適切なデバイスユーザにより正確に提供するために、受信したメタデータを分析することができる。
【００３８】
図３のディスプレイ３３８は、デバイスユーザに様々な情報を表示するための適切なスクリーンを備えたブラウン管モニタ又は液晶表示デバイスを含むいずれかの効率的なタイプの表示技術を含むことができる。図３の実施形態では、Ｉ／Ｏインタフェース３４０は、ユーザデバイス１２２によって要求される情報のいずれかのタイプを受信及び／又は送信するために、１つ又はそれよりも多くの入力及び／又は出力インタフェースを含むことができる。図３の実施形態では、メモリ３１８は、以下に限定されるものではないが、読取専用メモリ（ＲＯＭ）、ランダムアクセスメモリ（ＲＡＭ）、及びフロッピー（登録商標）ディスク、メモリスティック、コンパクトディスク、又はハードディスクのような不揮発性メモリの様々なタイプを含む要求される記憶デバイスのいずれかの組合せを含むように実施することができる。ユーザデバイス１２２の利用ための付加的な詳細は、図４−８Ｂに関して以下に更に説明する。
【００３９】
ここで図４を参照すると、本発明による図３のユーザメモリ３１８の一実施形態のブロック図が示されている。代替の実施形態では、ユーザメモリ３１８は、図４の実施形態に関して説明した構成要素及び構成のある一定のものに加えて又はこれらの代わりの構成要素及び構成を利用することによって実施することができる。
【００４０】
図４の実施形態では、デバイスアプリケーション４２２は、ユーザデバイス１２２に対する様々な機能及び作業を実行するためにＣＰＵ３１４によって実行されることが好ましいプログラム命令を含むことができる。デバイスアプリケーション４２２の特定の性質及び機能は、一般的に、対応するユーザデバイス１２２の特定のタイプ及び特定の機能のようなファクタに応じて変わる。図４の実施形態では、ユーザデバイス１２２は、ユーザデバイス１２２又はユーザデバイス１２２のデバイスユーザに関するいずれかの所望の属性又は特徴をまとめて説明するユーザプロフィール４３０及びデバイスプロフィール４３４を管理するためにデータモジュール４２６を利用する。例えば、ユーザプロフィール４３０は、以下に限定されるものではないが、デバイスユーザの名前、性別、年齢、宗教、趣味、関心、職業、配偶者の有無、住所、収入、「インターネット」閲覧履歴、地理ロケーション、及びクレジットカード取引記録に関する情報を含むことができる。同様に、デバイスプロフィール４３４は、以下に限定されるものではないが、デバイスタイプ、デバイス製造業者、サポートされるデバイス機能、デバイスロケーション、及びデバイス構成を含むことができる。
【００４１】
図４の実施形態では、ドッキングポート４３８は、１つ又はそれよりも多くのトランスポート構造２１０（図２）とユーザデバイス１２２間の双方向通信を容易にするためのいずれかの適切なタイプのインタフェース手段を含むことができる。図４の実施形態では、広告（ａｄｓ）４４２は、具体的にユーザデバイス１２２のデバイスユーザに対して配信システム１１０（図１Ａ）を通じて受信されるターゲット広告情報を含むことができる。同様に、コンテンツ４４６は、具体的にユーザデバイス１２２のデバイスユーザに対して配信システム１１０（図１Ａ）を通じて受信されるターゲット電子コンテンツ情報を含むことができる。
【００４２】
図４の実施形態では、ユーザデバイス１２２は、いずれかの適切なリモートエンティティとの双方向電子通信手順を実行するために通信モジュール４５０を利用することができる。通信モジュール４５０は、いずれかの効率的な通信技術を利用することができる。例えば、ある実施形態においては、通信モジュール４５０は、公知の又は拡張「Ｂｌｕｅｔｏｏｔｈ（登録商標）」技術に類似の短距離無線技術を利用することにより、商店又は他の販売環境における短距離通信を達成することができる。他の実施形態では、通信モジュール４５０は、公知の又は拡張ＷｉＦｉ技術に類似の長距離無線技術を利用することにより、家庭又はオフィス環境での長距離通信を達成することができる。
【００４３】
図４の実施形態では、雑多な情報４５４は、ユーザデバイス１２２による利用のためのいずれかの適切な付加的情報又はデータを含むことができる。例えば、ある実施形態においては、雑多な情報４５４は、１つ又はそれよりも多くのトランスポート構造２１０からダウンロードされた配信システム１１０における他のエンティティに関する様々なタイプのメタデータを含むことができる。図４のユーザメモリ３１８の実施及び利用に関する更なる詳細は、図５−８Ｂに関して以下に説明する。
【００４４】
ここで図５を参照すると、本発明による図１Ａの情報サービス１１８の一実施形態のブロック図が示されている。図５の実施形態では、情報サービス１１８は、以下に限定されるものではないが、コントローラ５１４、トランスポートサーバ５１８、及び広告サーバ５３８、１つ又はそれよりも多くの広告ソース５４０、１つ又はそれよりも多くのコンテンツソース５４２、及び入札サーバ５４６を含む。図５の実施形態は、例示的な目的のために示されており、代替の実施形態では、情報サービス１１８は、図５の実施形態に関して説明した構成要素及び構成のある一定のものに加えて又はこれらの代わりの構成要素及び構成を使用して実施することができる。
【００４５】
図５の実施形態では、コントローラ５１４は、情報サービス１１８の演算機能を調整及びモニタするためのいずれかの効率的な制御手段を含むように実施することができる。例えば、ある実施形態においては、コントローラ５１４は、情報サービス１１８の作業を管理する対応する制御アプリケーションプログラムを備えたコンピュータデバイスとして実施することができる。代替的に、コントローラ５１４は、ソフトウエア命令を実行するためのいずれかの適切な適合マイクロプロセッサデバイスを含む中央演算処理装置として実施することができ、それによって情報サービス１１８の作業を制御及び管理する。
【００４６】
図５の実施形態では、本発明によるトランスポートサーバ５１８は、１つ又はそれよりも多くのトランスポート構造２１０（図２）と通信してこれを制御するためのいずれかの効率的な手段を含むことができる。トランスポートサーバ５１８の実施及び利用に関する付加的な詳細は、図６Ａ−６Ｂに関して以下に更に説明する。図５の実施形態では、広告ソース５４０は、配信システム１１０（図１Ａ）を通じた流通のために広告情報を提供するための１つ又はそれよりも多くの適切なエンティティを含むことができる。例えば、広告ソース５４０は、様々な営利事業、特定の広告主、又は広告開発者を含むことができる。
【００４７】
図５の実施形態では、コンテンツソース５４２は、配信システム１１０を通じた流通のために電子コンテンツを提供するための１つ又はそれよりも多くの適切なエンティティを含むことができる。例えば、コンテンツソース５４２は、様々な営利事業、特定の広告主、又はコンテンツ製作者を含むことができる。図５の実施形態では、広告サーバ５３８は、１つ又はそれよりも多くのトランスポート構造２１０（図２Ａ）からのメタデータを利用することにより、ユーザデバイス１２２（図１Ａ）のターゲットデバイスユーザに提供するための適切な広告情報及び／又は電子コンテンツを識別し、かつ集約するためのいずれかの効率的な手段を含むことができる。広告サーバ５３８の一実施形態は、図７に関して以下に更に説明する。
【００４８】
図５の実施形態では、入札サーバ５４６は、１つ又はそれよりも多くの消費者グループ１５０（図１Ｂ）を作成し、次に、前記消費者グループ１５０に対する広告権利を取得するために広告主又は他の適切なエンティティが入札するか又は指し値を戻すようにする消費者集約手続をサポートするためのいずれかの効率的な手段を含むことができる。入札サーバ５４６の一実施形態は、図８Ａ−８Ｂに関して以下に更に説明する。情報サービス１１８の実行及び利用に対する付加的な詳細は、図６Ａ−８Ｂに関して以下に更に説明する。
【００４９】
ここで図６Ａを参照すると、本発明による図５のトランスポートサーバ５１８の一実施形態のブロック図が示されている。図６Ａの実施形態では、トランスポートサーバ５１８は、以下に限定されるものではないが、中央演算処理装置（ＣＰＵ）６１４、メモリ６１８、ディスプレイ６３８、及び１つ又はそれよりも多くの入力／出力インタフェース（Ｉ／Ｏインタフェース）６４０を含む。図６Ａの実施形態は、例示的な目的のために示されており、代替の実施形態では、トランスポートサーバ５１８は、図６Ａの実施形態に関して説明した構成要素及び構成のある一定のものに加えて又はこれらの代わりの構成要素及び構成を使用して実施することができる。
【００５０】
図６Ａの実施形態では、ＣＰＵ６１４は、ソフトウエア命令を実行することが好ましいいずれかの適切な適合マイクロプロセッサデバイスを含むように実施することができ、それによってトランスポートサーバ５１８の作業を制御及び管理する。図６Ａのディスプレイ６３８は、デバイスユーザに様々な情報を表示するための適切なスクリーンを備えたブラウン管モニタ又は液晶表示デバイスを含むいずれかの効率的なタイプの表示技術を含むことができる。図６Ａの実施形態では、Ｉ／Ｏインタフェース６４０は、ユーザデバイス１２２によって要求される情報のいずれかのタイプを受信及び／又は送信するために１つ又はそれよりも多くの入力及び／又は出力インタフェースを含むことができる。図６Ａの実施形態では、トランスポートサーバメモリ６１８は、以下に限定されるものではないが、読取専用メモリ（ＲＯＭ）、ランダムアクセスメモリ（ＲＡＭ）、及びフロッピー（登録商標）ディスク、メモリスティック、コンパクトディスク、又はハードディスクのような不揮発性メモリの様々なタイプを含む要求される記憶デバイスのいずれかの組合せを含むように実施することができる。
【００５１】
ここで図６Ｂを参照すると、本発明による図６Ａのトランスポートサーバメモリ６１８の一実施形態のブロック図が示されている。代替の実施形態では、トランスポートサーバメモリ６１８は、図６Ｂの実施形態に関して説明した構成要素及び構成のある一定のものに加えて又はこれらの代わりの構成要素及び構成を利用することによって実施することができる。
【００５２】
図６Ｂの実施形態では、トランスポートサーバメモリ６１８は、以下に限定されるものではないが、以下に開示するある一定のソフトウエアプログラム及びデータを含むことができる。例えば、トランスポートサーバメモリ６１８は、トランスポートサーバ５１８に対する様々な機能及び作業を実行するためにＣＰＵ６１４によって実行されることが好ましいプログラム命令のトランスポートサーバアプリケーション６４４を含むことができる。サーバアプリケーションの特定の性質及び機能は、一般的に、対応するトランスポートサーバ５１８の特定のタイプ及び特定の機能のようなファクタに応じて変わる。
【００５３】
本発明によるトランスポートサーバ５１８は、１つ又はそれよりも多くのトランスポート構造２１０（図２Ａ）に対する様々な機能を管理及び調整するためにＴＳマネージャ６４８を利用することができる。ある実施形態においては、ＴＳマネージャ６４８は、配信システム１１０（図１Ａ）からの様々な許可された配信サービスに参加するためにユーザデバイス１２２のデバイスユーザを登録するための登録手順を調整するための登録モジュールを含むことができる。ＴＳデータベース６５２は、配信システム１１０における様々なエンティティに配信サービスを提供するトランスポート構造２１０に関するいずれかの適切な情報を含むことができる。
【００５４】
ある実施形態においては、ＴＳマネージャ６４８は、配信システム１１０におけるトランスポート構造２１０のカレントステータスを反映するために、ＴＳデータベース６５２におけるそれぞれのトランスポート構造情報を連続的に更新することができる。トランスポートサーバ５１８は、いずれかの適切なリモートエンティティとも双方向電子通信手順を実行するために、通信モジュール６５６を利用することができる。例えば、通信モジュール６５６は、配信システム１１０におけるトランスポート構造２１０と遠隔に通信するために利用することができる。フィードバックメタデータ２４８は、それぞれのユーザデバイス１２２のデバイスユーザから受信したいずれかの関連の情報を含むことができる。
【００５５】
図６Ｂの実施形態では、メタデータマネージャ６６４又は他の適切なエンティティは、いずれかの効率的な技術を利用することにより、トランスポート構造２１０からのメタデータにメタデータ分析／集約手続を実行することができる。ある実施形態においては、メタデータ分析／集約手続は、消費者グループ１５０（図１Ｂ）を作成する場合に使用する集約メタデータ６６８の様々なタイプ及びカテゴリを識別する。ある実施形態においては、メタデータマネージャ６６４は、集約メタデータ６６８における特定のターゲット化特徴及びパラメータを識別するために、ある一定の所定の条件に照らしてユーザデバイス１２２及び対応するデバイスユーザから収集されたメタデータを分析することができる。例えば、ターゲット化特徴は、以下に限定されるものではないが、ユーザメタデータ２２２、デバイスメタデータ２２６、ネットワークメタデータ２３０、及び広告主メタデータ２３４からの選択された特徴を含むことができる（図２Ａを参照）。図６Ｂの実施形態では、雑多な情報６７２は、トランスポートサーバ５１８による利用ための情報又はデータのいずれかの要求されるタイプを含むことができる。
【００５６】
ここで図７を参照すると、本発明による図５の広告サーバ５３８の一実施形態のブロック図が示されている。図７の実施形態では、広告サーバ５３８は、以下に限定されるものではないが、中央演算処理装置（ＣＰＵ）７１４、メモリ７１８、ディスプレイ７３８、及び１つ又はそれよりも多くの入力／出力インタフェース（Ｉ／Ｏインタフェース）７４０を含む。図７の実施形態は、例示的な目的のために示されており、代替の実施形態では、広告サーバ５３８は、図７の実施形態に関して説明した構成要素及び構成のある一定のものに加えて又はこれらの代わりの構成要素及び構成を使用して実施することができる。
【００５７】
図７の実施形態では、ＣＰＵ７１４は、ソフトウエア命令を実行することが好ましいいずれかの適切な適合マイクロプロセッサデバイスを含むように実施することができ、それによって広告サーバ５３８の作業を制御及び管理する。図７のディスプレイ７３８は、デバイスユーザに様々な情報を表示するための適切なスクリーンを備えたブラウン管モニタ又は液晶表示デバイスを含むいずれかの効率的なタイプの表示技術を含むことができる。図７の実施形態では、Ｉ／Ｏインタフェース７４０は、広告サーバ５３８によって要求される情報のいずれかのタイプも受信及び／又は送信するために１つ又はそれよりも多くの入力及び／又は出力インタフェースを含むことができる。
【００５８】
図７の実施形態では、メモリ７１８は、以下に限定されるものではないが、読取専用メモリ（ＲＯＭ）、ランダムアクセスメモリ（ＲＡＭ）、及びフロッピー（登録商標）ディスク、メモリスティック、コンパクトディスク、又はハードディスクのような不揮発性メモリの様々なタイプを含む要求される記憶デバイスのいずれかの組合せを含むように実施することができる。図７の実施形態では、メモリ７１８は、以下に限定されるものではないが、サーバアプリケーション７２２、ドッキングポート７２６、広告７３０、及びコンテンツ７３４を含む。
【００５９】
図７の実施形態では、サーバアプリケーション７２２は、広告サーバ５３８に対する様々な機能及び作業を実行するためにＣＰＵ７１４によって実行されることが好ましいプログラム命令を含むことができる。サーバアプリケーション７２２の特定の性質及び機能は、一般的に、対応する広告サーバ５３８の特定のタイプ及び特定の機能のようなファクタに応じて変わる。ある実施形態においては、サーバアプリケーション７２２は、ユーザデバイス１２２（図１Ｂ）のデバイスユーザから成るターゲット消費者グループ１５０と適切なメディアファイル２５０（図２Ｂ）を適合させるために、トランスポート構造２１０（図２Ａ）からのメタデータを分析することができる。
【００６０】
図７の実施形態では、ドッキングポート７２６は、広告７３０及び／又はコンテンツ７３４を転送するために、１つ又はそれよりも多くのトランスポート構造２１０（図２）と双方向通信するための広告サーバ５３８に対するいずれかの効率的なインタフェース手段を含むことができる。図７の実施形態では、広告７３０は、広告ソース５４０（図５）のようないずれかの適切なエンティティから広告サーバ５３８に提供される広告情報を含む。同様に、図７の実施形態では、コンテンツ７３４は、コンテンツソース５４２（図５）のようないずれかの適切なエンティティから広告サーバ５３８に提供される電子コンテンツを含む。
【００６１】
ある実施形態においては、広告サーバ５３８又は他の適切なエンティティは、所定の広告主から所定のデバイスユーザ又は消費者グループ１５０への広告の見込み効率を評価及び定量化するためのメディア適合公式を利用することができる。メディア適合公式では、広告主検証値が、１つ又はそれよりも多くの行動像形成変数、１つ又はそれよりも多くの広告媒体変数、１つ又はそれよりも多くの製品プロフィール変数、及び１つ又はそれよりも多くの広告主接続変数を含むある一定の適合変数によって計算することができる。
【００６２】
広告主検証は、メディア適合公式で上述の関係変数を利用した結果の数値である。「製品プロフィール」で定められた製品接触ポイントによって割り算されたユーザのプロフィールビーコン、すなわち、「行動像」を使用した製品価値に関するユーザの知覚間の関係は、ユーザ／製品適合性に等しい。ユーザ製品適合性は、次に、メディアプラットフォームの広告主の設定された使用強度及び広がりを取って乗算し、広告主が製品に対する広告主媒体に推進しているメッセージングの頻度及び様式によって割り算すると、これは、広告主ファンデーション番号に等しい。広告主ファンデーションによるユーザ製品適合性の乗算は、次に、ユーザ、広告主、及び製品を標準料金化する場合に使用することができる価格設定定数を表す広告主検証数値に等しくなる。
表Ｉ：広告検証（グッドウィル）
・販売は、メッセージングに結び付いて増加する。
・メッセージングにおいて低減する場合のボリュームトレンド。
・業界販売の百分率（格付け対シェア）通りの類似の製品間の消費者選択。
・消費者製品リコールにおける広告効果。
・広告ドライビングジェネリックは、コスト対銘柄に基づいて購入する−スピルオーバー効果。
・コンプライアントの量対買い手承認、又は返品及び／又は保証クレームの数。
・コラテラル(collateral)広告主製品、銘柄リフトにおける消費者の関心。
・消費者の調査。
【００６３】
ある実施形態においては、メディア適合公式は、以下の式によって簡潔な方法で数学的に表すことができる。
（行動像／検証製品プロフィール）Ｘ（広告媒体／広告主接続）＝広告主
【００６４】
ある実施形態においては、行動像は、生活様式選択及び消費者価値（ビーコン(beacon)）に関連付けられる主要特徴を識別するように設計されている質問の格子を通じた個々の行動ビーコンのシフティングである。これらの質問は、答えの応答者シーケンスに基づいて動的に変化し、次に、各ビーコンに対する応答者の答えの焦点を連続的に狭めるために次の質問を連続的に調整することになる。結果は、要求される消費見通し及び応答者によって保持された価値の明確な識別になる。
【００６５】
ある実施形態においては、「製品プロフィール」は、行動像ビーコン（製品接触ポイント）に関する製品接触ポイントを識別する。「製品プロフィール」は、識別された製品が社会的にどのくらい重要であるかを識別する。「製品プロフィール」は、ユーティリティ及び製品の公的又は私的使用見込みを呼び出す。「製品プロフィール」は、各製品に関する一般的に保持されたパブリック値の点から製品を定める。「製品プロフィール」は、一定した製品接触ポイント値を提供するために、ネットワークオペレータによって設定及び維持されている。
【００６６】
ある実施形態においては、広告媒体は、消費者への製品メッセージをポピュレートしている広告媒体のタイプを概説している。広告媒体は、メッセージングの広告媒体カテゴリ、及び製品及び消費者によって既に設定されている広がり値によって識別する。ある実施形態においては、広告接続は、広告主及び消費者間の前のメッセージング体験を定める。広告接続は、メッセージングの頻度、メッセージングの様式、及びメッセージを消費者に伝達するための既存の戦略を識別する。
【００６７】
更に「行動像形成」に関して、この目的は、広告が関連性があって関心のものである受信者にのみビューするための広告メッセージをプッシュアウトし、同時に、他の受信者に関連性のない広告トラフィックを低減することである。これは、受信者からの行動ビーコンに基づく直観的配信マッピング（行動像形成）を必要とする。受信者／デバイスユーザは、消費者（クライアント）と連携するために時間を取りたいと思っているスポンサー代理人に初期プロフィールを提供する。より良い生活様式機会、拡張された保証及び／又は製品ディスカウントも考慮をもたらす場合がある。これらのプロフィールは、クライアントの行動へのトランザクションアクセス（消費者メタデータダイアリーを常に更新する）に基づいて四半期毎に更新及びリフレッシュされる。
【００６８】
「行動像」は、クライアントだけでなく、必要に応じて、メッセージング機会によって影響を受ける核家族メンバを含むために層状化される（家族レーシング）。「代理人／クライアント」ダイアログと共に、「行動像」は、クレジットカード購入、映画チケット購入、娯楽プログラム選択、ビューされた出版、及びウェブサイト検索／サーフィン習慣を追跡する。生活様式監査のレベルは、受信した値に基づいてクライアントまでであることになる。
【００６９】
これは、プライバシーの侵害のように思われるが、これらの追跡活動は、既に、消費者の概観又はアドバイスなしに行われている。消費者は、結果を編集する機能を持たない。ここでは、クライアントレビューが存在するだけでなく、得られるプロフィールを承認するための権利も存在することになる。今日、ＭｙＳｐａｃｅ及びＦａｃｅＢｏｏｋのようなソーシャルネットワーク、クレジットカード、及びリテール会員カードは全て、実際のプロフィールサブジェクトからいずれかのインプレッションもなしに消費者のプロシューマープロフィールを提供している。プロシューマーは、プロシューマーが直ちに取得したい特定の製品又はサービスを積極的に検索する消費者として説明することができる。
【００７０】
「行動像形成」は、クライアントが承認するプロフィールをクライアントに提供し、実際のクライアントの消費者活動に基づいてプロフィールを更新する。更に、クライアントは、特定の期間に発信広告代理人又は代理人との関係による独占的又は非独占的使用に対して許可された行動像を有する。クライアントは、クライアントのＤＶＲのための更新ビューイングログを連続的に生成するために、プログラミングサービスプロバイダにこれらの行動像の使用を許諾することができる。
【００７１】
実際の実施では、メディア適合公式のこれらの変数の全ては、各カテゴリ内のユニットを定めており、ユニットは、各カテゴリ内で加算されていく数字的に加重された値を有し、利用可能な和は、得られる全体的な価格設定値／広告主検証に対してメディア適合公式にプラグされる。以下のテーブルＩＩ−ＩＶは、クライアントの行動像によって反映された消費者における広告主メッセージング影響に基づいて変化する所定の数値（０から１００）を有するこれらの変数の例である。
テーブルＩＩ：広告媒体
・商業スポットは、固有のインプレッションを作成するこれらを取り囲むコンテンツに関係なく固有のメッセージが包含されている。（５０）
・銘柄アウェアネス及びロイヤリティを拡張する第三者コンテンツに添付されたスポンサーシップバナー、しかし、スポンサーされるコンテンツと共に融合する。（３５）
・製品統合は、製品へのランダムな熟知を生成するが、販売メッセージング又は銘柄説明はない。（１５）
・プログラムスポンサーシップは、コンテンツ自体とのコ−ブランディング関係を作成することにより、拡張された銘柄ロイヤリティを生成する。（７５）
・プログラムオーナーシップは、コンテンツ視聴者及び製品消費者の両方に広告主に対する制度上の関係を生成する。（１００）
・スタジアム及び他のソーシャルアイコンにおける企業広告は、ソサイエティ価値アソシエーションを生成する企業関係を生成する。（３５）
・掲示板、雑誌、及びクーポンにおける静的広告メッセージングは、他の媒体におけるより動的なメッセージングを補足する。（２５）
・販売業者、高速道路、及びＩＰにおけるデジタル信号によるパブリック動的メッセージングは、付加的な地理的メッセージングクラスターを作成する。（２５）
・トレードアソシエーション及びグループディストリビュータメッセージングの形式での一般的広告。（３５）
・電子メール、請求書、及び封筒の形式でのパーソナル広告。（２５）
テーブルＩＩＩ：製品プロフィール
・行動像における製品適合性。（５０）
・パブリックビューから隠されたパーソナル使用。（１５）
・ソーシャルステートメントを形成するためのパーソナル使用。（１００）
・家庭、オフィス、及び／又はパブリックでの日常使用。（１５）
・使用は、消費者行動に統合される。（７５）
・使用は、ユーザに対して破壊的である。（１５）
・命よりも大きい。（１００）
・命の一部。（５０）
・命と同一。（１５）
・政治的に正しい。（７５）
・矛盾（例えば、グリーン対エネルギの無駄）。（１５）
・類似の一般的製品（１５）
・固有又は独占的。（１００）
・市場に対して新しい。（１５）
・古い標準的な主要商品。（７５）
・民族的な。（３５）
・主流。（７５）
・キーパー。（７５）
・使い捨て。（１５）
テーブルＩＶ：広告主接続
・粒度の細かいメッセージ。（１００）
・マッシブメッセージ。（１５）
・１製品メッセージ。（７５）
・複数の製品。（３５）
・同じスポークスパーソン。（７５）
・異なるスポークスパーソン。（２５）
・期間にわたる多数のメッセージ。（７５）
・多数のメディアウィンドウ及びプラットフォーム。（７５）
・１メッセージ（１００）
・連続メッセージ。（７５）
・オーソリティメッセージ。（７５）
・フレンドリメッセージ。（３５）
・フィールグッド。（７５）
・信頼。（１００）
【００７２】
ここで図８Ａを参照すると、本発明による図５の入札サーバ５４６の一実施形態のブロック図が示されている。図８Ａの実施形態では、入札サーバ５４６は、以下に限定されるものではないが、中央演算処理装置（ＣＰＵ）８１４、入札サーバメモリ８１８、ディスプレイ８３８、及び１つ又はそれよりも多くの入力／出力インタフェース（Ｉ／Ｏインタフェース）８４０を含む。図８Ａの実施形態は、例示的な目的のために示されており、代替の実施形態では、入札サーバ５４６は、図８Ａの実施形態に関して説明した構成要素及び構成のある一定のものに加えて又はこれらの代わりの構成要素及び構成を使用して実施することができる。
【００７３】
図８Ａの実施形態では、ＣＰＵ８１４は、ソフトウエア命令を実行することが好ましいいずれかの適切な適合マイクロプロセッサデバイスを含むように実施することができ、それによって入札サーバ５４６の作業を制御及び管理する。図８Ａのディスプレイ８３８は、デバイスユーザに様々な情報を表示するための適切なスクリーンを備えたブラウン管モニタ又は液晶表示デバイスを含むいずれかの効率的なタイプの表示技術を含むことができる。図８Ａの実施形態では、Ｉ／Ｏインタフェース８４０は、入札サーバ５４６によって要求される情報のいずれかのタイプも受信及び／又は送信するために１つ又はそれよりも多くの入力及び／又は出力インタフェースを含むことができる。図８Ａの実施形態では、入札サーバメモリ８１８は、以下に限定されるものではないが、読取専用メモリ（ＲＯＭ）、ランダムアクセスメモリ（ＲＡＭ）、及びフロッピー（登録商標）ディスク、メモリスティック、コンパクトディスク、又はハードディスクのような不揮発性メモリの様々なタイプを含む要求される記憶デバイスのいずれかの組合せを含むように実施することができる。
【００７４】
ここで図８Ｂを参照すると、本発明による図８Ａの入札サーバメモリ８１８の一実施形態のブロック図が示されている。代替の実施形態では、市場メモリ８１８は、図８Ｂの実施形態に関して説明した構成要素及び構成のある一定のものに加えて又はこれらの代わりの構成要素及び構成を利用することによって実施することができる。
【００７５】
図８Ｂの実施形態では、入札サーバメモリ８１８は、以下に限定されるものではないが、以下に開示するある一定のソフトウエアプログラム及びデータを含むことができる。例えば、入札サーバメモリ８１８は、入札サーバ５４６に対する様々な機能及び作業を実行するためにＣＰＵ８１４によって実行されることが好ましいプログラム命令の入札サーバアプリケーション８４４を含むことができる。入札サーバアプリケーション８４４の特定の性質及び機能は、一般的に、対応する入札サーバ５４６の特定のタイプ及び特定の機能のようなファクタに応じて変わる。ある実施形態においては、入札サーバ５４６は、いずれかの適切なリモートエンティティとも双方向電子通信手順を実行するために通信モジュール８５６を利用することができる。図６Ｂの実施形態では、雑多な情報８７２は、入札サーバ５４６による利用ための情報又はデータのいずれかの要求されるタイプを含むことができる。
【００７６】
図８Ｂの実施形態では、グループ集約器８４６は、図１Ｂに関して上述したように、１つ又はそれよりも多くの消費者グループ１５０を識別するためにメタデータデータベース８６０又は他のデータソースからの情報を分析することができる。消費者グループ１５０は、１つ又はそれよりも多くのデバイスユーザ又は他のエンティティによるマニュアル定義、又はグループ集約器８４６による自動グループ作成手順を実行することのようないずれかの適切な方法で定めることができる。ある実施形態においては、グループ集約器８４６は、デバイスユーザ及びその対応するユーザデバイス１２２に対するグループパターンを認識するために、様々なタイプのメタデータ（図６Ｂの集約メタデータ６６８など）を連続的に分析することができる。
【００７７】
図８Ｂの実施形態では、グループ集約器８４６は、対応する消費者グループ１５０を作成するために、様々な所定のグループ分けファクタの連続集計を維持することができる。ある実施形態においては、消費者グループ１５０は、様々なデバイスユーザに対するグループ分けファクタの計算された加重和によってポピュレートすることができる。グループ分けファクタは、以下に限定されるものではないが、ユーザメタデータ２２２、デバイスメタデータ２２６、ユーザ選択、ユーザ行動パターン、地理的ロケーション情報、「インターネット」閲覧パターン、及びユーザ購入行動を含むことができる。
【００７８】
グループ集約器８４６は、いずれかの効率的な技術を使用することにより、適切なターゲット広告主又は広告を識別することができる。例えば、グループ集約器８４６は、ターゲット広告主を識別するために様々な所定のターゲット化ファクタを分析することができる。ターゲット化ファクタは、以下に限定されるものではないが、広告目標、製品特徴、製品価格設定情報、及び広告特徴を含むことができる。グループ集約器８４６は、消費者グループ１５０の特徴をターゲット広告主及び広告と比較し、かつ広告をそれぞれの消費者グループ１５０に送信するために入札する機会を適切なターゲット広告主に提供することができる。
【００７９】
図８Ｂの実施形態では、入札マネージャ８４８は、広告主又は他の適切なエンティティが、１つ又はそれよりも多くの消費者グループ１５０へのアクセスを取得するために入札するか又はそうでなければ指し値を戻すことができる入札手続を調整することができる。図８Ｂの実施形態では、入札マネージャ８４８は、特定の所定の入札規則８６４の観点から入札情報８５２を分析して、１人又はそれよりも多くの入札勝利者を決めることができる。ある実施形態においては、消費者グループ１５０の広告値は、表されたデバイスユーザの数に比例する。図８Ｂの実施形態では、入札手続の結果が、入札結果８６８として記憶される。
【００８０】
入札勝利者は、次に、情報サービス１１８（図１）による消費者グループ１５０への送信のための広告情報の提供を通知され、かつ提供を許可される。様々なデバイスユーザは、次に、消費者グループ１５０に提供される一括購入機会に参加するか否かを個々に判断することができる。少なくとも上述の理由のために、本発明は、従って、電子ネットワークにおける消費者集約手続をサポートするための改善したシステム及び方法を提供する。
【００８１】
本発明は、ある一定の実施形態に関して上述のように説明した。他の実施形態は、本発明の開示の観点から当業者には明らかであろう。例えば、本発明は、上述の特定的な実施形態で説明したもの以外のある一定の構成及び技術を使用して容易に実施することができる。更に、本発明は、上述したもの以外のシステムと共に効率的に使用することができる。従って、説明した実施形態におけるこれら及び他の変形は、特許請求の範囲によってのみ制限される本発明によって含まれるように意図している。
【符号の説明】
【００８２】
１１０  配信システム
１１８  情報サービス
１２２  ユーザデバイス
１２６  ネットワーク
【図１Ａ】
0005498899.tif 000002
【図１Ｂ】
0005498899.tif 000003
【図２Ａ】
0005498899.tif 000004
【図２Ｂ】
0005498899.tif 000005
【図３】
0005498899.tif 000006
【図４】
0005498899.tif 000007
【図５】
0005498899.tif 000008
【図６Ａ】
0005498899.tif 000009
【図６Ｂ】
0005498899.tif 000010
【図７】
0005498899.tif 000011
【図８Ａ】
0005498899.tif 000012
【図８Ｂ】
0005498899.tif 000013